(57)【特許請求の範囲】
【請求項１】
１台の室外機と、室内熱交換器温度センサおよび室内温度センサを有するＮ台（Ｎは３以上の整数）の室内機と、上記各室内機を上記室外機の液側配管とガス側配管との間に並列的に接続するためのＭ台（Ｍは２以上の整数）の分岐ユニットとを含み、上記各分岐ユニットは、上記各室内機の室内熱交換器に接続されるＬ個（Ｌは２以上の整数）の膨張弁と、上記各温度センサを上記室外機に電気配線を介して接続する中継配線端子とを有し、上記Ｎ台の室内機が所定台数ごとに上記Ｍ台の分岐ユニットを介して上記室外機に接続されており、上記室外機に上記各室内機の配管と配線の組み合わせ状態を判定する制御手段が設けられているマルチ型空気調和機において、
上記制御手段は、上記各分岐ユニットに含まれているすべての膨張弁を開いて冷房運転を行っている状態において、上記１〜Ｍ台の各分岐ユニットに対して同時に、１〜Ｌ個の膨張弁のうち特定の１個の膨張弁のみを開とし、他の膨張弁を閉とする第１制御信号を出力し、上記他の膨張弁を閉とした時点から所定時間経過後に、上記各室内機から上記電気配線を介して上記室内温度センサによる室内温度Ｔａと、上記室内熱交換器センサによる室内熱交換器温度Ｔｂとを取得し、上記室内温度Ｔａと上記室内熱交換器温度Ｔｂとの温度差がもっとも大きい値を示す室内機が上記特定の１個の膨張弁に接続された室内機であるとき、その室内機の上記中継配線端子に対する配線が正常であり、それ以外のときは誤配線であるとの判定を行い、誤配線判定の場合には、その時点で上記判定を中止し、
正常配線判定の場合には、引き続き上記各分岐ユニット内で上記特定の１個の膨張弁を順次交代的に選択しながら、上記判定を上記分岐ユニットに接続されている室内機の台数分繰り返して、上記判定を上記各分岐ユニット単位で並行して行うことを特徴とするマルチ型空気調和機。
【請求項２】
１台の室外機と、Ｎ台（Ｎは３以上の整数）の室内機と、上記各室内機を上記室外機の液側配管とガス側配管との間に並列的に接続するためのＭ台（Ｍは２以上の整数）の分岐ユニットとを含み、上記各分岐ユニットは、上記各室内機の室内熱交換器に接続されるＬ個（Ｌは２以上の整数）の膨張弁と、上記各室内機を上記室外機に電気配線を介して接続する中継配線端子とを有し、上記Ｎ台の室内機が所定台数ごとに上記Ｍ台の分岐ユニットを介して上記室外機に接続されており、上記室外機に上記各室内機の配管と配線の組み合わせ状態を判定する制御手段が設けられているマルチ型空気調和機において、
上記制御手段は、上記各分岐ユニットに含まれているすべての膨張弁を開いて暖房運転を行っている状態において、上記１〜Ｍ台の各分岐ユニットに対して同時に、１〜Ｌ個の膨張弁のうち特定の１個の膨張弁のみを閉とし、他の膨張弁を開とする第２制御信号を出力し、上記特定の１個の膨張弁を閉とした時点から所定時間経過後にまでに生じた温度変化を上記各室内機に設けられている温度センサより上記電気配線を介して取得し、上記温度変化のうちもっとも大きな温度変化を示す室内機が上記特定の１個の膨張弁に接続された室内機であるとき、その室内機の上記中継配線端子に対する配線が正常であり、それ以外のときは誤配線であるとの判定を行い、誤配線判定の場合には、その時点で上記判定を中止し、
正常配線判定の場合には、引き続き上記各分岐ユニット内で上記特定の１個の膨張弁を順次交代的に選択しながら、上記判定を上記分岐ユニットに接続されている室内機の台数分繰り返して、上記判定を上記各分岐ユニット単位で並行して行うことを特徴とするマルチ型空気調和機。
【請求項３】
上記各室内機に設けられている温度センサで検出される温度変化は、上記所定時間経過時点の上記室内機の熱交換器温度センサで検出された温度Ｔｃと、上記特定の膨張弁を閉じる前に上記熱交換器温度センサで検出された温度Ｔｄとの差分であることを特徴とする請求項２に記載のマルチ型空気調和機。
【請求項４】
上記各室内機に設けられている温度センサで検出される温度変化は、上記所定時間経過時点の上記室内機の熱交換器温度センサで検出された温度Ｔｃと、上記特定の膨張弁を閉じる前に室内温度センサで検出された温度Ｔｅとの差分であることを特徴とする請求項２に記載のマルチ型空気調和機。
【発明の詳細な説明】
【技術分野】
【０００１】
本発明は、１台の室外機に対して複数台の室内機を分岐ユニットを介して接続するマルチ型空気調和機に関し、さらに詳しく言えば、各室内機を分岐ユニットに接続する際の配管と配線の接続状態を判定する技術に関するものである。
【背景技術】
【０００２】
マルチ型空気調和機では、室外機の液側配管とガス側配管との間に複数台の室内機を並列的に接続するにあたって分岐ユニットが用いられる。通常、分岐ユニットには、室内機の熱交換器に配管を介して接続される膨張弁と、室内機に備えられている各温度センサを電気配線を介して室外機に接続するための中継配線端子とが室内機の所定台数分設けられている。
【０００３】
分岐ユニットに複数台の室内機を接続する場合、例えば第１台目の室内機の電気配線を間違って第２台目の室内機用の中継配線端子に接続してしまうことがあるため、接続後に配管と配線の組み合わせが正しいかどうかを調べる必要がある。
【０００４】
配管と配線の組み合わせが正しいかどうかの判定は、特許文献１に記載されているように、判定対象の特定された１台の室内機を他の室内機とは異なる状態にして、室外機を運転して行っている。
【０００５】
分岐ユニットに設けられている膨張弁は、各室内機の液側配管に設けられるため、冷房運転においては、判定対象の室内機に接続された膨張弁のみを開き、他の室内機の膨張弁を閉じて、判定対象の室内機の熱交換器の温度変化を観察することにより、その室内機の配管と配線の組み合わせの正誤を判定することができる。
【先行技術文献】
【特許文献】
【０００６】
【特許文献１】特開平７−４７９８号公報
【発明の概要】
【発明が解決しようとする課題】
【０００７】
しかしながら、１台の室外機に対して例えば１０台の室内機が接続されている場合、特定の１台のみを他の室外機と異なる状態、すなわち、上記したように特定の１個の膨張弁を開とし、他の膨張弁を閉とした状態で配管と配線の組み合わせをチェックするには、１台目から１０台目まで繰り返して行う必要があり、時間がかかるという問題がある。
【０００８】
また、特定の１個の膨張弁を開とし、他の膨張弁を閉とする方法は、暖房運転には適用することができない。
【０００９】
すなわち、暖房運転時には、冷房運転とは冷媒の流れ方向が逆で、膨張弁の位置が室内熱交換器の冷媒出口側となることから、判定対象の１台の室内機の膨張弁のみを開いて冷媒を流そうとしても、他の室内機にも冷媒が供給されてしまい、各室内機の熱交換器の時間的な温度変化に差が生じ難くなり、配管と配線の組み合わせの正誤を正確に判定することができない。また、この場合には、冷媒に含まれている冷凍機油が他の室内機内に溜まり込むため、圧縮機側で冷凍機油不足になるおそれがある。
【００１０】
そこで、本出願人は、特願２０１０−１５４５０５として、暖房運転においても、室内機の配管と配線の組み合わせの正誤を判定することを可能とした発明を提案している。
【００１１】
上記先願発明の概略を説明すると、各室内機に接続されているすべての膨張弁を開いて暖房運転を行い、運転が安定したところで特定の１個の膨張弁を閉じ、その時点から所定時間経過後にまでに生じた各室内機の温度変化を観察し、温度変化のうちもっとも大きな温度変化を示す室内機が上記特定の１個の膨張弁に接続された室内機であるとき、その室内機の中継配線端子に対する配線が正しく、それ以外のときは誤配線であるとの判定を行う。
【００１２】
しかしながら、上記先願発明においても、上記従来技術と同じく、１台目の室内機からＮ台目の室内機まで、膨張弁を一つずつ閉にしていくようにしているため、すべての室内機について配管と配線との関係を調べるには、やはり時間がかかり、暖房運転で判定を行っている途中で除霜運転（冷房運転）に切り替わる可能性があり、除霜運転に入ってしまった場合には判定を一旦中断し、除霜運転終了後、暖房運転が復活し冷凍サイクルが安定するのを待って再度判定を継続することになり、さらに時間がかかる。
【００１３】
したがって、本発明の課題は、１台の室外機に対して複数台の室内機を分岐ユニットを介して接続するマルチ型空気調和機において、冷房運転のみならず、暖房運転においても、配管と配線の組み合わせの正誤判定を短時間で行えるようにすることにある。
【課題を解決するための手段】
【００１４】
上記課題を解決するため、本願の第１の発明は、請求項１に記載されているように、１台の室外機と、室内熱交換器温度センサおよび室内温度センサを有するＮ台（Ｎは３以上の整数）の室内機と、上記各室内機を上記室外機の液側配管とガス側配管との間に並列的に接続するためのＭ台（Ｍは２以上の整数）の分岐ユニットとを含み、上記各分岐ユニットは、上記各室内機の室内熱交換器に接続されるＬ個（Ｌは２以上の整数）の膨張弁と、上記各温度センサを上記室外機に電気配線を介して接続する中継配線端子とを有し、上記Ｎ台の室内機が所定台数ごとに上記Ｍ台の分岐ユニットを介して上記室外機に接続されており、上記室外機に上記各室内機の配管と配線の組み合わせ状態を判定する制御手段が設けられているマルチ型空気調和機において、上記制御手段は、上記各分岐ユニットに含まれているすべての膨張弁を開いて冷房運転を行っている状態において、上記１〜Ｍ台の各分岐ユニットに対して同時に、１〜Ｌ個の膨張弁のうち特定の１個の膨張弁のみを開とし、他の膨張弁を閉とする第１制御信号を出力し、上記他の膨張弁を閉とした時点から所定時間経過後に、上記各室内機から上記電気配線を介して上記室内温度センサによる室内温度Ｔａと、上記室内熱交換器センサによる室内熱交換器温度Ｔｂとを取得し、上記室内温度Ｔａと上記室内熱交換器温度Ｔｂとの温度差がもっとも大きい値を示す室内機が上記特定の１個の膨張弁に接続された室内機であるとき、その室内機の上記中継配線端子に対する配線が正常であり、それ以外のときは誤配線であるとの判定を行い、誤配線判定の場合には、その時点で上記判定を中止し、正常配線判定の場合には、引き続き上記各分岐ユニット内で上記特定の１個の膨張弁を順次交代的に選択しながら、上記判定を上記分岐ユニットに接続されている室内機の台数分繰り返して、上記判定を上記各分岐ユニット単位で並行して行うことを特徴としている。
【００１５】
本願の第２の発明は、請求項２に記載されているように、１台の室外機と、Ｎ台（Ｎは３以上の整数）の室内機と、上記各室内機を上記室外機の液側配管とガス側配管との間に並列的に接続するためのＭ台（Ｍは２以上の整数）の分岐ユニットとを含み、上記各分岐ユニットは、上記各室内機の室内熱交換器に接続されるＬ個（Ｌは２以上の整数）の膨張弁と、上記各室内機を上記室外機に電気配線を介して接続する中継配線端子とを有し、上記Ｎ台の室内機が所定台数ごとに上記Ｍ台の分岐ユニットを介して上記室外機に接続されており、上記室外機に上記各室内機の配管と配線の組み合わせ状態を判定する制御手段が設けられているマルチ型空気調和機において、上記制御手段は、上記各分岐ユニットに含まれているすべての膨張弁を開いて暖房運転を行っている状態において、上記１〜Ｍ台の各分岐ユニットに対して同時に、１〜Ｌ個の膨張弁のうち特定の１個の膨張弁のみを閉とし、他の膨張弁を開とする第２制御信号を出力し、上記特定の１個の膨張弁を閉とした時点から所定時間経過後にまでに生じた温度変化を上記各室内機に設けられている温度センサより上記電気配線を介して取得し、上記温度変化のうちもっとも大きな温度変化を示す室内機が上記特定の１個の膨張弁に接続された室内機であるとき、その室内機の上記中継配線端子に対する配線が正常であり、それ以外のときは誤配線であるとの判定を行い、誤配線判定の場合には、その時点で上記判定を中止し、正常配線判定の場合には、引き続き上記各分岐ユニット内で上記特定の１個の膨張弁を順次交代的に選択しながら、上記判定を上記分岐ユニットに接続されている室内機の台数分繰り返して、上記判定を上記各分岐ユニット単位で並行して行うことを特徴としている。
【００１６】
上記第２の発明には、請求項３に記載されているように、上記各室内機に設けられている温度センサで検出される温度変化は、上記所定時間経過時点の上記室内機の熱交換器温度センサで検出された温度Ｔｃと、上記特定の膨張弁を閉じる前に上記熱交換器温度センサで検出された温度Ｔｄとの差分であることを特徴とする態様が含まれる。
【００１７】
また、上記第２の発明には、請求項４に記載されているように、上記各室内機に設けられている温度センサで検出される温度変化は、上記所定時間経過時点の上記室内機の熱交換器温度センサで検出された温度Ｔｃと、上記特定の膨張弁を閉じる前に室内温度センサで検出された温度Ｔｅとの差分であることを特徴とする態様も含まれる。
【発明の効果】
【００１８】
本発明によれば、冷房運転時、暖房運転時のいずれにおいても、各分岐ユニット単位で配管と配線の組み合わせの正誤判定を並行して行うようにしたことにより、室外機に対して並列的に接続されている複数台の室内機を従来のように総なめ的にチェックする場合に比べて、上記の正誤判定を短時間で行うことができる。
【図面の簡単な説明】
【００１９】
【図１】本発明のマルチ型空気調和機の実施形態の全体的な構成を示す模式図。
【図２】上記マルチ型空気調和機が備える冷凍サイクル図。
【図３】（ａ）〜（ｃ）冷房運転時における各分岐ユニット単位で配管と配線の組み合わせの正誤判定を並行して行う状態を示す模式図。
【図４】（ａ）〜（ｃ）暖房運転時における各分岐ユニット単位で配管と配線の組み合わせの正誤判定を並行して行う状態を示す模式図。
【発明を実施するための形態】
【００２０】
次に、図１ないし図４により、本発明の実施形態について説明するが、本発明はこれに限定されるものではない。
【００２１】
図１および図２を参照して、この空気調和機はマルチ型で、１台の室外機１００と、複数台、この実施形態では９台の室内機２１０Ａ，２１０Ｂ，２１０Ｃ；２２０Ａ，２２０Ｂ，２２０Ｃ；２３０Ａ，２３０Ｂ，２３０Ｃとを備えている。なお、各室内機は同一構成であるため、これらを区別する必要がない場合には、その総称として「室内機２００」とする。
【００２２】
各室内機２００は、室外機１００の液側配管４１０とガス側配管４２０との間に分岐ユニットを介して並列的に接続されるが、この実施形態では、それぞれ３つの分岐ポートＡ，Ｂ，Ｃを有する３台の分岐ユニット３１０，３２０，３３０が用いられ、室内機２１０Ａ，２１０Ｂ，２１０Ｃが分岐ユニット３１０を介して、室内機２２０Ａ，２２０Ｂ，２２０Ｃが分岐ユニット３２０を介して、室内機２３０Ａ，２３０Ｂ，２３０Ｃが分岐ユニット３３０を介してそれぞれ室外機１００に接続されている。なお、各分岐ユニットは同一構成であるため、これらを区別する必要がない場合には、その総称として「分岐ユニット３００」とする。
【００２３】
室外機１００は、圧縮機１０１と、冷房運転と暖房運転とで冷媒の流れ方向を切り替える四方弁１０２と、室外熱交換器１０３と、室外機ファン１０４と、外気温度センサＳ１とを備えている。圧縮機１０１は、ロータリー式もしくはスクロール式のいずれであってもよいが、インバータ制御による可変圧縮機であることが好ましい。また、室外機１００には、ＣＰＵやメモリ等を有するコンピュータシステムを備え、空気調和機の全体を制御する制御手段１１０が搭載されている。
【００２４】
室内機２００は、室内熱交換器２０１，室内機ファン２０２，室内熱交換器センサＳ２および室内温度センサＳ３を備えている。
【００２５】
分岐ユニット３００は、各分岐ポートＡ，Ｂ，Ｃごとに、膨張弁３１１（３１１Ａ〜３１１Ｃ；３２１Ａ〜３２１Ｃ；３３１Ａ〜３３１Ｃ）と、液管温度センサＳ４１（Ｓ４１Ａ〜Ｓ４１Ｃ；Ｓ４２Ａ〜Ｓ４２Ｃ；Ｓ４３Ａ〜Ｓ４３Ｃ）とを備えている。
【００２６】
膨張弁３１１は、液側配管４１０と室内熱交換器２０１との間に介装される。膨張弁３１１には、制御手段１１０からの制御信号により開度が制御される電子膨張弁が用いられる。液管温度センサＳ４１は、膨張弁３１１と室内熱交換器２０１との接続配管部分に設けられている。
【００２７】
また、分岐ユニット３００は、各分岐ポートＡ，Ｂ，Ｃごとに、中継配線端子Ｔ１ａ〜Ｔ１ｃ，Ｔ２ａ〜Ｔ２ｃ，Ｔ３ａ〜Ｔ３ｃを備えている。
【００２８】
各中継配線端子は、各膨張弁と対応して設けられており、第１台目の室内機２１０Ａの室内熱交換器２０１が分岐ユニット３１０の膨張弁３１１Ａに接続されるとすれば、室内機２１０Ａの各センサＳ２，Ｓ３および分岐ユニット３１０の液管温度センサＳ４１，膨張弁３１１Ａの制御端子は、配線５００を介して膨張弁３１１Ａと対応する中継配線端子Ｔ１ａにそれぞれ接続されることになるが、この中継配線端子への配線時に往々にして接続先の間違えが発生しやすい。
【００２９】
また、この実施形態において、分岐ユニット３００のうちの分岐ユニット３１０が親ユニットであり、分岐ユニット３１０が室外機１００と配線５００を介して接続され、分岐ユニット３１０に対して分岐ユニット３２０，３３０が配線５００を介して並列に接続される。図示しないが、配線５００には、ペアの電源線とペアのシリアル通信用の信号線とが含まれている。
【００３０】
次に、本発明による配管および配線の接続の組み合わせ判定（チェック）について説明するが、本発明では、そのチェック運転は、冷房運転もしくは暖房運転のいずれでも可能であるので、まず、冷房運転での配管接続の判定について説明する。
【００３１】
〔冷房運転での配管接続の判定〕
冷房運転の場合、圧縮機１０１により圧縮された高温高圧のガス冷媒が室外熱交換１０３側に供給され、室外熱交換器１０３が凝縮器、室内熱交換器２０１が蒸発器として作用するが、制御手段１１０は、冷房運転に先だって、各分岐ユニット３１０，３２０，３３０の室内機が接続された各分岐ポートＡ，Ｂ，Ｃの各液管温度センサＳ４１Ａ〜Ｓ４１Ｃ；Ｓ４２Ａ〜Ｓ４２Ｃ；Ｓ４３Ａ〜Ｓ４３Ｃにより検出されたそれぞれの液管温度Ｔ０を初期の液管温度としてメモリに記憶する。
【００３２】
そして、冷房運転を開始し、すべての膨張弁３１１Ａ〜３１１Ｃ；３２１Ａ〜３２１Ｃ；３３１Ａ〜３３１Ｃを開き、所定時間（例えば、室内機２００側での膨張弁切替に要する３分＋室外機１００側での四方弁等の操作に要する７〜８分、合計１０〜１１分程度で冷凍サイクルが安定するまでの時間）が経過した後に、各液管温度センサＳ４１Ａ〜Ｓ４１Ｃ；Ｓ４２Ａ〜Ｓ４２Ｃ；Ｓ４３Ａ〜Ｓ４３Ｃにより検出されたそれぞれの液管温度Ｔ１を取得する。
【００３３】
膨張弁が開いていれば、対応する液管に冷媒が流れるので、上記所定時間経過後に液管温度センサにより検出される液管の温度は低下する。
【００３４】
そこで、制御手段は、各室内機について、順次、液管温度差分（Ｔ１−Ｔ０）を演算し、例えば、５℃以上低下しているときは、膨張弁と室内機との間の「配管接続あり」と判定し、そうでないときは、「配管接続なし」と判定する。このようにして、各分岐ポートＡ，Ｂ，Ｃの膨張弁と室内機との配管接続状態の判定が行われる。次に、冷房運転での配管と配線の組み合わせ判定について説明する。
【００３５】
〔冷房運転での配管と配線の組み合わせ判定〕
この判定において、制御手段１１０は、１個の膨張弁、例えば分岐ユニット３１０の分岐ポートＡの膨張弁３１１Ａのみを開くとともに、他の膨張弁をすべて閉じて、冷房運転を継続し、他の膨張弁を閉じた時点から第１の所定時間（冷房運転において、温度差が明確になる例えば５〜６分程度）経過後に、各室内機の室内温度センサＳ３で検出された温度Ｔａと、熱交換器温度センサＳ２で検出された温度Ｔｂとを取得し、その温度差分（Ｔａ−Ｔｂ）を求める。
【００３６】
膨張弁を開いた室内機の熱交換器温度センサＳ２で検出される温度Ｔｂは冷房運転の継続により漸次低くなるが、その室内機の室内温度センサＳ３で検出される温度Ｔａは温度Ｔｂよりも高い値を示す。そこで、その温度差分（Ｔａ−Ｔｂ）がもっとも大きい室内機と、開かれた膨張弁との関係を判定する。
【００３７】
この判定で、温度差分（Ｔａ−Ｔｂ）がもっとも大きい室内機が室内機２１０Ａであれば、分岐ユニット３１０の分岐ポートＡの膨張弁３１１Ａと室内機２１０Ａとの間の配管と、中継接続端子Ｔ１ａに接続されている配線の組み合わせが「正しい」と判定され、それ以外の場合には「誤り」であると判定される。
【００３８】
以後、残りの各分岐ユニット３１０，３２０，３３０の各分岐ポートＡ，Ｂ，Ｃの室内機が接続された膨張弁について、繰り返して同様の判定を行うのであるが、この方法では時間がかかる。
【００３９】
そこで、本発明では、時間短縮をはかるため、上記した冷房運転での配管と配線の組み合わせ判定を分岐ユニット単位で並行して行う。これについて、図３（ａ）〜（ｃ）により説明する。
【００４０】
〔本発明による冷房運転での配管と配線の組み合わせ判定〕
図１に示すように、分岐ユニット３１０に３台の室内機２１０Ａ〜２１０Ｃが、分岐ユニット３２０に３台の室内機２２０Ａ〜２２０Ｃが、また、分岐ユニット３３０に３台の室内機２３０Ａ〜２３０Ｃがそれぞれ接続されているものとする。なお、図３において、太線矢印が膨張弁が開かれ室内機に冷媒が流れている状態を示し、鎖線矢印が室内機からの送信信号を示している。
【００４１】
冷房運転が行われている状態で、この実施形態では、制御手段１１０から出力される制御信号（第１制御信号）により、まず、図３（ａ）に示すように、分岐ユニット３１０では、膨張弁３１１Ａのみを開き、膨張弁３１１Ｂ，膨張弁３１１Ｃをともに閉じる。
【００４２】
そして、膨張弁３１１Ｂ，３１１Ｃを閉じた時点から第１の所定時間（冷房運転において、温度差が明確になる例えば５〜６分程度）経過後に、分岐ポート３１０に接続されている室内機２１０Ａ，２１０Ｂ，２１０Ｃから、室内温度センサＳ３で検出された温度Ｔａと、熱交換器温度センサＳ２で検出された温度Ｔｂとを取得し、その温度差分（Ｔａ−Ｔｂ）を求めた後、温度差分（Ｔａ−Ｔｂ）がもっとも大きい室内機と、開かれた膨張弁との関係を判定する。
【００４３】
この判定で、温度差分（Ｔａ−Ｔｂ）がもっとも大きい室内機が室内機２１０Ａであれば、分岐ユニット３１０の分岐ポートＡの膨張弁３１１Ａと室内機２１０Ａとの間の配管と、中継接続端子Ｔ１ａに接続されている配線の組み合わせが「正しい」と判定され、それ以外の場合には「誤り」であると判定される。
【００４４】
これと並行して、分岐ユニット３２０でも、上記第１制御信号により、膨張弁３２１Ａのみを開き、膨張弁３２１Ｂ，膨張弁３２１Ｃをともに閉じ、また、分岐ユニット３３０でも、上記第１制御信号により、膨張弁３３１Ａのみを開き、膨張弁３３１Ｂ，膨張弁３３１Ｃをともに閉じて、上記と同様な判定を行う。
【００４５】
次に、図３（ｂ）に示すように、分岐ユニット３１０では、膨張弁３１１Ｂのみを開き、膨張弁３１１Ａ，膨張弁３１１Ｃをともに閉じ、分岐ユニット３２０では、膨張弁３２１Ｂのみを開き、膨張弁３２１Ａ，膨張弁３２１Ｃをともに閉じ、分岐ユニット３３０では、膨張弁３３１Ｂのみを開き、膨張弁３３１Ａ，膨張弁３３１Ｃをともに閉じて、上記と同様な判定を行う。
【００４６】
次に、図３（ｃ）に示すように、分岐ユニット３１０では、膨張弁３１１Ｃのみを開き、膨張弁３１１Ａ，膨張弁３１１Ｂをともに閉じ、分岐ユニット３２０では、膨張弁３２１Ｃのみを開き、膨張弁３２１Ａ，膨張弁３２１Ｂをともに閉じ、分岐ユニット３３０では、膨張弁３３１Ｃのみを開き、膨張弁３３１Ａ，膨張弁３３１Ｂをともに閉じて、上記と同様な判定を行う。
【００４７】
このように、配管と配線の組み合わせ判定を分岐ユニット３１０，３２０，３３０単位で並行して行うことにより、９個の膨張弁を総なめ的に順次切り替える方法よりも、判定に要する時間をほぼ１／３に短縮することができる。
【００４８】
なお、各分岐ユニット３１０，３２０，３３０内での膨張弁の切り替え順序は、任意であってよい。一例として、分岐ユニット３１０では、膨張弁の開き順序を３１１Ａ→３１１Ｂ→３１１Ｃとし、これに対して、分岐ユニット３２０では、膨張弁の開き順序を３２１Ｃ→３２１Ｂ→３２１Ａとし、分岐ユニット３３０では、膨張弁の開き順序を３２１Ａ→３２１Ｃ→３２１Ｂとしてもよい。
【００４９】
次に、暖房運転での配管と配線の組み合わせ判定について説明する。暖房運転では、圧縮機１０１により圧縮された高温高圧のガス冷媒が室内熱交換２０１側に供給され、室内熱交換器２０１が凝縮器、室外熱交換器１０３が蒸発器として作用し、膨張弁の位置が室内熱交換器２０１の冷媒出口側となることから、判定対象となる１台の室内機だけに冷媒を流すことができない。そこで、次のような制御を行う。
【００５０】
〔暖房運転での配管と配線の組み合わせ判定〕
圧縮機１０１を起動して通常の暖房運転を開始し、各分岐ユニット３１０，３２０，３３０の室内機が接続されたすべての膨張弁を開き、冷凍サイクルが安定するのを待ち（一例として、室内機２００側での膨張弁切替に要する３分＋室外機１００側での四方弁等の操作に要する７〜８分、合計１０〜１１分程度）、その後に配管と配線の組み合わせ判定を行う。
【００５１】
この判定において、制御手段１１０は、最初にすべての室内機の熱交換器温度センサＳ２により検出された熱交換器２０１の温度Ｔｄをメモリに記憶しておき、第２の所定時間（例えば、１０〜１１分程度）経過後に、１個の膨張弁、例えば分岐ユニット３１０の分岐ポートＡにある膨張弁３１１Ａのみを閉じ、他の膨張弁は開いたままとする。
【００５２】
暖房運転を続けることにより、膨張弁３１１Ａを閉じた室内機２１０Ａは、冷媒の供給が停止されるため、温度が次第に低下する。そこで、膨張弁３１１Ａを閉じた時点から、第３の所定時間（暖房運転において、温度差が明確になる例えば５〜６分程度）経過後に、各室内機の熱交換器温度センサＳ２により、各室内機の熱交換器２０１の温度Ｔｃを検出し、この温度Ｔｃとメモリに記憶されている温度Ｔｄとの温度差分（Ｔｃ−Ｔｄ）を算出する。
【００５３】
そして、この温度差分（Ｔｃ−Ｔｄ）がもっとも大きい室内機と、閉じた膨張弁との関係を判定する。この判定で、例えば温度差分（Ｔｃ−Ｔｄ）がもっとも大きい室内機が室内機２１０Ａであれば、分岐ユニット３１０の分岐ポートＡと室内機２１０Ａの間の配管と配線の組み合わせが「正しい」と判定され、それ以外の場合には、その組み合わせが「誤り」であると判定される。
【００５４】
以後、残りの各分岐ユニット３１０，３２０，３３０の各分岐ポートＡ，Ｂ，Ｃの室内機が接続された膨張弁について、繰り返して同様の判定を行うのであるが、この方法では時間がかかる。
【００５５】
そこで、本発明では、時間短縮をはかるため、上記した暖房運転での配管と配線の組み合わせ判定を分岐ユニット単位で並行して行う。これについて、図４（ａ）〜（ｃ）により説明する。
【００５６】
〔本発明による暖房運転での配管と配線の組み合わせ判定〕
図１に示すように、分岐ユニット３１０に３台の室内機２１０Ａ〜２１０Ｃが、分岐ユニット３２０に３台の室内機２２０Ａ〜２２０Ｃが、また、分岐ユニット３３０に３台の室内機２３０Ａ〜２３０Ｃがそれぞれ接続されているものとする。なお、図４において、太線矢印が膨張弁が開かれ室内機に冷媒が流れている状態を示し、鎖線矢印が室内機からの送信信号を示している。
【００５７】
暖房運転が開始され、冷凍サイクルが安定した時点において、最初にすべての室内機の熱交換器温度センサＳ２により検出された熱交換器２０１の温度Ｔｄをメモリに記憶してから、第２の所定時間（例えば、１０〜１１分程度）経過後に、１個の膨張弁のみを閉じ、他の膨張弁は開いたままとするのであるが、この実施形態では、制御手段１１０から出力される制御信号（第２制御信号）により、まず、図４（ａ）に示すように、分岐ユニット３１０では、膨張弁３１１Ａのみを閉じ、膨張弁３１１Ｂ，膨張弁３１１Ｃは開いたままとして暖房運転を続ける。
【００５８】
そして、膨張弁３１１Ａを閉じた時点から第３の所定時間（暖房運転において、温度差が明確になる例えば５〜６分程度）経過後に、分岐ユニット３１０に接続されている室内機２１０Ａ，２１０Ｂ，２１０Ｃの熱交換器温度センサＳ２により、室内機２１０Ａ，２１０Ｂ，２１０Ｃの熱交換器２０１の温度Ｔｃを検出し、この温度Ｔｃとメモリに記憶されている温度Ｔｄとの温度差分（Ｔｃ−Ｔｄ）を算出し、次のような判定を行う。
【００５９】
すなわち、例えば温度差分（Ｔｃ−Ｔｄ）がもっとも大きい室内機が室内機２１０Ａであれば、分岐ユニット３１０の分岐ポートＡと室内機２１０Ａの間の配管と、中継接続端子Ｔ１ａに接続されている配線の組み合わせが「正しい」と判定され、それ以外の場合には、その組み合わせが「誤り」であると判定される。
【００６０】
これと並行して、分岐ユニット３２０でも、上記第２制御信号により、膨張弁３２１Ａのみを閉じ、膨張弁３２１Ｂ，膨張弁３２１Ｃは開いたままとし、また、分岐ユニット３３０でも、上記第２制御信号により、膨張弁３３１Ａのみを閉じ、膨張弁３３１Ｂ，膨張弁３３１Ｃは開いたままとして、上記と同様な判定を行う。
【００６１】
次に、図４（ｂ）に示すように、分岐ユニット３１０では、膨張弁３１１Ｂのみを閉じ、膨張弁３１１Ａ，膨張弁３１１Ｃは開いたままとし、分岐ユニット３２０では、膨張弁３２１Ｂのみを閉じ、膨張弁３２１Ａ，膨張弁３２１Ｃは開いたままとし、分岐ユニット３３０では、膨張弁３３１Ｂのみを閉じ、膨張弁３３１Ａ，膨張弁３３１Ｃは開いたままとして、上記と同様な判定を行う。
【００６２】
次に、図４（ｃ）に示すように、分岐ユニット３１０では、膨張弁３１１Ｃのみを閉じ、膨張弁３１１Ａ，膨張弁３１１Ｂは開いたままとし、分岐ユニット３２０では、膨張弁３２１Ｃのみを閉じ、膨張弁３２１Ａ，膨張弁３２１Ｂは開いたままとし、分岐ユニット３３０では、膨張弁３３１Ｃのみを閉じ、膨張弁３３１Ａ，膨張弁３３１Ｂは開いたままとして、上記と同様な判定を行う。
【００６３】
このように、暖房運転時においても、配管と配線の組み合わせ判定を分岐ユニット３１０，３２０，３３０単位で並行して行うことにより、９個の膨張弁を総なめ的に順次切り替える方法よりも、判定に要する時間をほぼ１／３に短縮することができる。
【００６４】
なお、各分岐ユニット３１０，３２０，３３０内での膨張弁の切り替え順序は、任意であってよい。一例として、分岐ユニット３１０では、膨張弁の閉じる順序を３１１Ａ→３１１Ｂ→３１１Ｃとし、これに対して、分岐ユニット３２０では、膨張弁の閉じる順序を３２１Ｃ→３２１Ｂ→３２１Ａとし、分岐ユニット３３０では、膨張弁の閉じる順序を３２１Ａ→３２１Ｃ→３２１Ｂとしてもよい。
【００６５】
また、上記暖房運転での配管と配線の組み合わせ判定では、室内温度センサＳ３の検出温度を使用しないで、熱交換器温度センサＳ２による検出温度Ｔｃ，Ｔｄのみを使用しているが、室内温度センサＳ３が熱交換器２０１の温度の影響を受けない箇所、例えば室内機の図示しない空気吸入口等に設置されている場合には、膨張弁を閉じる前にメモリに記憶される温度として、室内温度センサＳ３による検出温度Ｔｅが採用されてもよい。
【００６６】
また、上記各実施形態では、各分岐ユニットが備える３つの分岐ポートＡ，Ｂ，Ｃのいずれにも室内機が接続されているが、室内機の台数との関係で、例えば分岐ユニット３３０については、分岐ポートＡ，Ｂに室内機が接続され、分岐ポートＣには室内機が接続されていない場合には、室内機が接続されている分岐ポートＡ，Ｂについて上記の判定を行えばよい。
【００６７】
本発明で、上記のように、冷房運転および暖房運転のいずれにおいても、分岐ユニット単位で配管と配線の組み合わせ判定を行うようにしたのは、配線接続の間違えは、往々にして個々の分岐ユニット内で生じ、分岐ユニットをまたがっての配線接続の間違え、例えば分岐ユニット３１０の分岐ポートＣにある膨張弁３１１Ｃに接続される室内機２１０Ｃの配線を、分岐ユニット３２０の分岐ポートＡにある中継配線端子Ｔ２ａに接続するような間違えはほとんど発生しないことによる。
【符号の説明】
【００６８】
１００  室外機
１０１  圧縮機
１０２  四方弁
１０３  室外熱交換器
１０４  室外機ファン
２１０（２１０Ａ〜２１０Ｃ，２２０Ａ〜２２０Ｃ，２３０Ａ〜２３０Ｃ）室内機
２０１  室内熱交換器
２０２  室内機ファン
３１０，３２０，３３０  分岐ユニット
３１１Ａ〜３１１Ｃ，３２１Ａ〜３２１Ｃ，３３１Ａ〜３３１Ｃ  膨張弁
【図１】
0005812255.tif 000002
【図２】
0005812255.tif 000003
【図３】
0005812255.tif 000004
【図４】
0005812255.tif 000005